(57)【要約】  本発明はリストストラップの長さを調整できる伸長可能なバックルを有するリストストラップのクラスプに関する。この目的のために、クラスプは第１の端部で互いに連接する第１及び第２の薄片部材（10、11）と、前記リストストラップの第１のストランドとの接続のために第１薄片部材（10）の第２の端部に配置される第１連結部(12a)と、リストストラップの第２のストランドとの接続のために第２薄片部材（11）の第２の端部に配置される第２連結部(13)と、第２連結部（13）を第２薄片部材（11）の端部に対して移動させてリストストラップの長さを調節する手段とを有する。第２連結部（13）は第２薄片部材（10）上に位置するハウジング（17）に配置されるクレイドル（16）に接続される。ハウジング（17）はクレイドル（16）が摺動できる２つの対向する壁面（18、18'）を有する。クラスプはさらに第２薄片部材（11）に接続されクレイドル（16）と協働するように配置されるタブ（19）を有し、タブ（19）は２つの軸位置を占めることができ、そのいずれか一方に位置するときにクレイドル（16）がロックまたはアンロックされる。【選択図】図１
2014506808.tif 000002
【特許請求の範囲】
【請求項１】
リストストラップの長さを調整できる、伸長可能なバックルを有するリストストラップのクラスプであって、前記クラスプは、
−第１の端部で互いに連接する第１及び第２の薄片部材（10、11）と、
−前記リストストラップの第１のストランドとの接続のために前記第１薄片部材（10）の第２の端部に配置される第１連結部（12a）と、
−前記リストストラップの第２のストランドとの接続のために前記第２薄片部材（11）のもう第２の端部に配置される第２連結部（13）と、
−前記第２連結部（13）が前記第２薄片部材（11）の端部に対して異なる固定位置を占めることを可能にする固定手段とを有するクラスプにおいて、
前記第２連結部（13）が前記第２薄片部材（11）上に位置するハウジング（17）に配置されるクレイドル（16）に接続され、
前記ハウジング（17）が前記クレイドル（16）が摺動できる２つの対向する壁面（18、18'）を有し、前記クラスプがさらに前記第２薄片部材（11）に接続され前記クレイドル（16）と協働するように配置されるタブ（19）を有し、前記タブ（19）は第１及び第２の軸位置を占めることができ、前記タブ（19）が前記第１の軸位置にあるときに前記クレイドル（16）がひとつの固定位置にロックされ、前記タブ（19）が前記第２の軸位置にあるときに前記クレイドル（16）がアンロックされ、前記クレイドル（16）が前記ハウジング（17）の壁面(18、18')に沿って摺動して異なった固定位置を占めることができ、前記タブ（19）が前記第１の軸位置に再び移動すると前記クレイドル（16）が前記異なった固定位置でロックされることを特徴とするクラスプ。
【請求項２】
前記タブ（19）が前記クレイドル（16）の移動と垂直の方向に一方からもう一方へ前記第２薄片部材（11）と前記クレイドル（16）を通るように配置されることを特徴とする請求項１に記載のクラスプ。
【請求項３】
第１と第２の押しボタン（20、20'）が前記タブ（19）の一端及び他端にそれぞれ配置され、前記第１押しボタン（20）が、前記タブ（19）が前記２つの軸位置のひとつに位置するときに、前記第１押しボタン（20）が前記第２薄片部材（11）の一方の外側面と接するように配置され、前記第２押しボタン（20'）が前記第２薄片部材（11）のもう一方の外側面と所定の距離に位置するように配置され、前記第２押しボタン(20')を押圧すると前記タブ(19)が２つの軸位置の一方からもう一方へ移動することが可能になることを特徴とする請求項２に記載のクラスプ。
【請求項４】
前記クレイドル（16）が少なくともひとつの、切欠のあるまっすぐな部分（21）を有し、該まっすぐな部分は前記クレイドル（16）の移動方向に設けられ一連のくぼみ（21'）を有し、前記タブ（19）が前記２つの軸位置の一方に位置するときに、前記くぼみ（21'）のひとつに収容されるように配置されて前記クレイドル（16）を固定された位置でロックする、前記少なくともひとつの隆起部(22a、22b、22c)を有し、前記ひとつ以上の隆起部(22a、22b、22c)が、前記タブ（19）が前記２つの軸位置のもう一方に位置するときに、前記クレイドル（16）のひとつ以上の切欠部（21）から外れ、前記クレイドル（16）が前記タブ(19)にロックされずに移動可能になることを特徴とする請求項１乃至３のいずれか一項に記載のクラスプ。
【請求項５】
前記クレイドル（16）がその各横端部に沿って、互いに対向する２か所の切欠部（21a、21b）を有し、前記タブ（19）が２か所の隆起部（22a、22c）を有し、各隆起部（22a、22c）が前記クレイドル（16）の各横面に配置される前記２か所の切欠部（21a、21b）の２か所の対向するくぼみ（21'）に収容されるように配置されることを特徴とする請求項４に記載のクラスプ。
【請求項６】
２つのキャッチ（23）が前記ハウジング（17）の前記２つの対向する各壁面（18、18'）に配置され、前記クレイドル（16）と協働して、前記タブ（19）を前記２つの軸位置の一方からもう一方へ移動させて前記クレイドル（16）をロックする前に前記クレイドル（16）を前記固定位置のひとつに予め位置決めすることを特徴とする請求項１乃至５のいずれか一項に記載のクラスプ。
【請求項７】
請求項１乃至６のいずれか一項に記載の前記クラスプを有するリストストラップ。
【請求項８】
請求項７に記載の前記リストストラップを有するウォッチ。
【発明の詳細な説明】
【技術分野】
【０００１】
本発明はリストストラップの分野に関する。特に、リストストラップの長さを正確に調整できる伸長可能なバックルを有するリストストラップのクラスプに関する。
【背景技術】
【０００２】
伸長可能なバックルを有するクラスプは審美的な外観でよく知られている。これらのクラスプはしばしば複数のリンク金具で形成されたリストストラップと結びつけられる。この場合、リストストラップの長さは一般に装着者の手首のサイズに応じて小売業者がひとつまたは複数のリンク金具を加えるか除くかすることで調整されている。この調整は通常最終的なもので、周囲の温度が影響する及び／または装着者が手首を動かすことで左右される手首の外周の変化は斟酌されない。しかしながら、手首のサイズは周囲の温度の高低によって変化するので、この種の調整が頻繁に必要であることがわかっている。調整できる可能性がなければ、リストストラップは夏の高温において手首を圧迫する。一方で、冬には、同じストラップが手首の周りを回ってしまいがちである。
【０００３】
ウォッチの装着者が状況に応じて自分でわずか数ミリの単位でリストストラップの長さを調節できるシステムを備えたリストストラップは複数ある。このタイプのクラスプは特に、米国特許第5927577号明細書、実開昭59−108411号公報、欧州特許出願公開第1716776号明細書、欧州特許出願公開第1378185号明細書、欧州特許出願公開第1943917号明細書、欧州特許出願公開第1920673号明細書、そして国際特許公開第2008/064931号においても開示されている。
【０００４】
例として、米国特許第5927577号明細書に開示されている装置は末端金具を有し、その一端がリストストラップのひとつの端部の末端に連接され、末端金具のもう一方の端部が棒部を備え、その棒部はカバーの内側でありカバーの側端に沿って配置された複数の穴に位置決めされうる。リストストラップの長さを調整するのにクラスプを開ける必要があることがこの装置の主な欠点である。
【０００５】
実開昭59−108411号公報は２つの薄片部材を有し、第１の端部で相互に連接される第１と第２の薄片部材と、第１薄片部材の第２の端部に連接されるフードを有する伸長可能なバックルのためのクラスプに関し、前記フードはリストストラップの第１のストランドに連結される。ほぼ長方形の開口部が第２薄片部材の長手方向に沿って伸びる。この開口部の長手方向の端部には固定手段と協働するように切欠部が設けられ、伸長可能なバックルの支持部と一体となり、支持部はリストストラップの第２のストランドに連結される。固定手段は第２薄片部材の開口部の各切欠部のひとつの切欠に位置決めするための２つの固定要素を含み、薄片部材のサポートに関して所望の固定位置で固定要素を固定する。固定手段はさらに押しボタンを含み、ボタンを押すことで対応する切欠部の各固定要素が解除できリストストラップの長さを調整できる。薄片部材のサポートに関して、押しボタンがもはや押されないで第２薄片部材が異なった固定位置で固定されるときには、各固定要素は２か所の切欠部のそれぞれにある切欠の別のひとつにほぼ位置決めされる。米国特許第5927577号明細書と同様に、リストストラップの長さを調整するためにはクラスプを開かなければならず、このために取り扱いが複雑になっている。
【０００６】
欧州特許出願公開第1716776号明細書は、特に上述の問題点を解決することを目的とした、ウォッチストラップの長さを調整する装置を開示する。この装置はカバーを有し、カバーの内側をリストストラップの一端と連接する末端金具が摺動できる。この末端金具は事前位置決めと位置の固定の手段を含み、分離システムと協働して前記リストストラップを開く必要性なしにリストストラップの長さを調整できる。欧州特許出願公開第1716776号明細書の教示に従えば、この調整装置はリンク金具を有する硬性のリストストラップに装着される、すなわち端部が、ひろげられる連接薄片部材を有するクラスプに取り付けられる。従ってこの装置は皮やその他の柔軟な素材でできており、一端がリストストラップの長さをおおまかに調整する舌部を備えたスライドループ部品に配置されるリストストラップには適さない。
【０００７】
欧州特許出願公開第1378185号明細書は２つの薄片部材をもつ伸長可能なバックルを有し上述の問題点を解決するクラスプを提案する。このクラスプの２つの薄片部材はその一方の端部が相互に連接され、一方でもう一方の端部はそれぞれリストストラップの一方のストランドに接続されるフード、及びリストストラップのもう一方のストランドに接続される可動末端金具に接続される。前記可動末端金具は、その内部にリストストラップの長さを調整する固定手段が装着される収容部の内側に配置される。これらの固定手段はそれぞれが鋸歯状に収容部の内側面に沿って設けられた切欠部と協働するように配置される２つの固定要素を有する。収容部の外側面に設けられた２つの押しボタンが押されると切欠部から固定要素が外れてブレスレットの長さを調整することが可能になる。
【先行技術文献】
【特許文献】
【０００８】
【特許文献１】米国特許第5927577号明細書
【特許文献２】実開昭59−108411号公報
【特許文献３】欧州特許出願公開第1716776号明細書
【特許文献４】欧州特許出願公開第1378185号明細書
【特許文献５】欧州特許出願公開第1943917号明細書
【特許文献６】欧州特許出願公開第1920673号明細書
【特許文献７】国際公開第2008/064931号
【発明の概要】
【発明が解決しようとする課題】
【０００９】
本発明の目的はリストストラップのための伸長可能なクラスプの違ったバージョンを提案することであり、その利点はクラスプが閉じたポジションにある際にリストスラップの長さを正確に調整できることであり、容易にリンク金具を有するかまたは皮製のリストストラップにも取り付けられることである。
【課題を解決するための手段】
【００１０】
本発明によれば、この目的はリストストラップの長さを調整できる、リストストラップ用の伸長可能なバックルを有するクラスプによって達成され、前記クラスプは、第１の端部で互いに連接する第１及び第２の薄片部材と、前記リストストラップの第１のストランドとの接続のために第１薄片部材の第２の端部に配置される第１連結部と、前記リストストラップの第２のストランドとの接続のために第２薄片部材の第２の端部に配置される第２連結部と、前記第２連結部が第２薄片部材の端部に対して複数の固定位置を占めることを可能にする固定手段とを有する。前記第２連結部は第２薄片部材上に位置するハウジングに配置されるクレイドルに接続される。前記ハウジングはクレイドルが摺動できる２つの対向する壁面を有する。前記クラスプはさらに、第２薄片部材に接続されクレイドルと協働するように配置されるタブを有し、前記タブは、前記タブが２つの軸位置の一方またはもう一方に位置するときに前記クレイドルがロックまたはアンロックされるように第１及び第２の軸位置を占めることができる。
【発明の効果】
【００１１】
このクラスプの特徴と、単純、審美的かつ信頼できる構造によって長さの調整を即座に心地よく正確におこなうことが可能になる。
【図面の簡単な説明】
【００１２】
本発明の特徴は、好ましい実施形態の記述を読めばより明確になるであろうが、それは単に非限定的な例をあげたにすぎず、図表に関しては、
【図１】発明の好ましい実施形態に従ったウォッチストラップのための伸長可能なバックルを有するクラスプの分解組立図、
【図２】リストストラップの第２のストランドとの連結のための連結部が第１の固定位置にある際のクラスプの側面図、
【図３】図２のA-Aの断面図、
【図４】前記連結部が第２の固定位置にあることを示す、ロックされたクラスプの側面図、
【図５】図４のB-Bの断面図である。
【発明を実施するための形態】
【００１３】
図１乃至５に示された本発明の好ましい実施例にしたがって、伸長可能なバックルを有する前記クラスプは第１の端部で互いに連接する第１及び第２の薄片部材10、11を有する。フード12は第１薄片部材10の第２の端部に連接され、その下にリストストラップの第１のストランドにつながりうるピンが配置される。リストストラップの第２のストランドにつながりうる連結部13はまっすぐなタイル状のクレイドル16に接続される（図１）。このクレイドル16は形状が合致するハウジング17に配置され、第２薄片部材11の第２の端部に位置する。より具体的には、前記ハウジング17はこの第２薄片部材11の両側端部に対して中心に位置する。この第２薄片部材11のアーム11a、11bの端部は内側に垂直に伸び、前記クレイドル16が摺動できる２つの対向する壁面18、18'(図５)を形成する。
【００１４】
本発明のクラスプはさらに第２薄片部材11の２つのアーム11a、11bの一方のアームの端部と前記クレイドル16を垂直に通るように配置されるタブ19を有する。第１押しボタン20は前記２つのアーム11a、11bのもう一方のアームの端部を垂直に通るように配置され、前記タブ19の一方の端部が入る管状部を有する。前記タブ19のもう一方の端部は第２押しボタンとして機能する部品20'を有する。前記タブ19は２つの軸位置を占めることができ、前記タブ19が一方またはもう一方の軸位置に位置するときクレイドル16がロックまたはアンロックされる。
【００１５】
前記クレイドル16は６か所の切欠部21、すなわち３か所の下側切欠部（図３、５）と３か所の上側切欠部（図示されず）を有し、それぞれが所定の半径の湾曲をもった一連のくぼみ21'を有する。前記６か所の切欠部21のうちの４か所はハウジング17の壁面18、18'に面するクレイドル16の両側面に沿って設けられる。より具体的には、図３に示すように前記クレイドル16の各横端部には互いに対向して配置された２か所の切欠部21a、21bがある。前記切欠部21の残りの２か所は前記クレイドル16の中央部に移動軸で互いに対向するように位置決めされる。
【００１６】
前記タブ19は３か所の軸位置に３か所の隆起部22a、22b、22cを有し、前記タブ19がその２か所の軸位置のひとつに位置するときに各隆起部22a、22b、22cは２か所の対応する対向する切欠部のくぼみ21'に収容されることができ、固定された位置で前記クレイドル16をロックする。各隆起部22a、22b、22cは、前記タブ19がその２か所の軸位置のもう一方に位置するときに２か所の対応する対向する切欠部から外れて、前記クレイドル16がアンロックされ前記タブ19にロックされずに移動が可能になる。
【００１７】
前記ハウジング17の壁面18、18'に対向する前記クレイドル16の両端部に配置される切欠部21a、21bの形状によって、これらの両端部は、それぞれが対向するくぼみ21によって形成され、キャッチ23の球体23aをおさめられる一連の収容部を含み、前記球体はばね23b上に備えられる。両キャッチ23は第２薄片部材11の横端部のそれぞれの側に形成される穴25に配置され、ハウジング17に向けて開口しており、球体23aが収容部のひとつに位置決めされうる。キャッチ23の目的はタブ19を動かしてクレイドル16を固定位置のひとつにロックする前にクレイドル16を固定位置のひとつに位置決めすることである。
【００１８】
前記タブ19が前記２つの軸位置の一方を占めるときに、前記第１押しボタン20が第２薄片部材11の一方の外側面と接するように配置され、前記第２の押しボタン20'が第２薄片部材11のもう一方の外側面と所定の距離に位置するように配置される（図５）。前記第２の押しボタン20'を押圧すると前記タブ19が動きだして２つの軸位置のもう一方を占めることが可能になり、前記第２押しボタン20'が第２薄片部材11のもう一方の外側面と接する（図３）。
【００１９】
リストストラップ用のこのクラスプは特に腕時計関連の使用に適合しているが、手首に装着される他の物品にも同じく適切に使用できるであろう。
【図１】
2014506808.tif 000003
【図２】
2014506808.tif 000004
【図３】
2014506808.tif 000005
【図４】
2014506808.tif 000006
【図５】
2014506808.tif 000007
【国際調査報告】
2014506808.tif 000008
2014506808.tif 000009
2014506808.tif 000010
2014506808.tif 000011